(57)【要約】　　　（修正有）【課題】土壌に対しノズル管を従来品よりも非常に深く差し込んで、土壌中の固い部分を、地表面を乱すことなくピンポイント的に砕いて土壌の膨軟化を図り団粒構造を促進させると共に、土壌中に養分補給や殺菌剤、駆虫剤等の注入を行うことができ、植物の活性化、土壌の殺菌及び病害虫の予防駆除を簡易、かつ効果的に行うことができるようにすると共に、装置の価格を従来品に比べ格段に低減させる。【解決手段】圧縮空気を導入可能に構成され該圧縮空気を送出し又は停止させる第１開閉弁１１が設けられた圧縮空気導入部２と、任意の液体を導入可能に構成され該液体を送出し又は停止させる第２開閉弁２８が設けられた液体導入部３と、先端部４０に圧縮空気及び液体の噴出口４１が形成され土壌中に差し込むことができるように構成されたノズル管４とを備え、第１開閉弁１１及び第２開閉弁２８を夫々独立して開閉可能にした構成を特徴とする。【選択図】　　　　図１
0003097225.tif 000002
【実用新案登録請求の範囲】
【請求項１】
圧縮空気を導入可能に構成され該圧縮空気を送出し又は停止させる第１開閉弁が設けられた圧縮空気導入部と、任意の液体を導入可能に構成され該液体を送出し又は停止させる第２開閉弁が設けられた液体導入部と、前記圧縮空気導入部及び液体導入部の下流側に接続され先端部に前記圧縮空気及び前記液体の噴出口が形成され土壌中に差し込むことができるように構成されたノズル管とを備え、前記第１開閉弁及び前記第２開閉弁を夫々独立して開閉可能に構成し、前記圧縮空気若しくは前記液体を夫々単独で又は前記圧縮空気及び前記液体を同時に前記噴射口から前記土壌中に噴出可能に構成したことを特徴とする土壌中への圧縮空気及び液体注入装置。
【請求項２】
圧縮空気を導入可能に構成され該圧縮空気を所定量溜めておく空気溜まりが設けられた圧縮空気導入部と、任意の液体を導入可能に構成された液体導入部と、前記圧縮空気導入部及び液体導入部の下流側に接続され先端部に前記圧縮空気及び前記液体の噴出口が形成され土壌中に差し込むことができるように構成されたノズル管とを備え、前記空気溜まりからの高圧圧縮空気及び前記液体を夫々単独で又は同時に前記噴出口から前記土壌中に噴出可能に構成したことを特徴とする土壌中への圧縮空気及び液体注入装置。
【請求項３】
圧縮空気を導入可能に構成され該圧縮空気を所定量溜めておく空気溜まりと該空気溜まりからの高圧圧縮空気を送出し又は停止させる第１開閉弁と前記圧縮空気が下流側にのみ流れるようにした第１逆止弁とが設けられた圧縮空気導入部と、任意の液体を導入可能に構成され該液体を送出し又は停止させる第２開閉弁と前記液体が下流側にのみ流れるようにした第２逆止弁とが設けられた液体導入部と、前記圧縮空気導入部及び液体導入部の下流側に接続され先端部に前記圧縮空気及び前記液体の噴出口が形成され土壌中に人力で差し込むことができるように構成されたノズル管とを備えたことを特徴とする土壌中への圧縮空気及び液体注入装置。
【請求項４】
圧縮空気を導入可能に構成され該圧縮空気を所定量溜めておく空気溜まりと該空気溜まり内の圧力を表示する圧力計と前記空気溜まりからの高圧圧縮空気を送出し又は停止させる第１開閉弁と前記圧縮空気が下流側にのみ流れるようにした第１逆止弁とが設けられた圧縮空気導入部と、任意の液体を導入可能に構成され該液体を送出し又は停止させる第２開閉弁と前記液体が下流側にのみ流れるようにした第２逆止弁とが設けられた液体導入部と、前記圧縮空気導入部及び液体導入部の下流側に接続され先端部に前記圧縮空気及び前記液体の噴出口が形成され土壌中に人力で差し込むことができるように構成されたノズル管と、該ノズル管の上方に設けられ片手で夫々操作可能な一対のハンドルと、該一対のハンドルに両手を掛けた状態で左右独立して操作可能に構成されリンクを介して前記第１開閉弁及び前記第２開閉弁を夫々開閉可能に構成されたレバー機構とを備えたことを特徴とする土壌中への圧縮空気及び液体注入装置。
【考案の詳細な説明】
【０００１】
【考案の属する技術分野】
本考案は、土壌中への圧縮空気及び液体注入装置に係り、特にゴルフ場のグリーンのような芝生地等の土壌中の固い部分を、地表面を乱すことなくピンポイント的に砕いて土壌の膨軟化を図り団粒構造を促進させると共に、土壌中の該空洞に養分補給や殺菌剤、駆虫剤等の注入を行うことができ、植物の活性化、土壌の殺菌及び病害虫の予防駆除を簡易にかつ効果的に行うことができるようにし、とりわけ従来品よりも非常に深く差し込むことができ、しかも極めて安価に提供できるようにした土壌中への圧縮空気及び液体注入装置に関する。
【０００２】
【従来の技術】
ゴルフ場のグリーン等の芝生地や、公園の樹木、街路樹等の根本の土壌においては、ある程度の深さのところが硬く固まってしまうことがあり、これによって水分や栄養分が不足したりすると、芝や樹木の育成が妨げられることになる。また土壌中の病害虫の発生によって芝や樹木の育成が妨げられることもある。
【０００３】そこで地面から土壌中にノズル管を差し込んでから、該ノズル管から圧縮空気を瞬間的に噴出させるようにして打ち込み、固まった土壌を砕いて空洞を形成するための装置が市販されているが、従来の装置のうちある種のものは大型であって、例えばゴルフ場用のものでは、価格も約５００万円程度と非常に高価であった。
【０００４】また他には持ち運びも可能な簡易型の装置があるが、ノズル管の外径が約３０ｍｍ程度と太く、ゴルフ場のグリーンの場合には、ノズル管の差込みによって形成される穴を元通りに修復しなければならず、その作業に多くの手間が必要であった。またノズル管が太いために、土壌中への差込みの際にはノズル管に振動を加える必要があり、しかも差込み可能深さは５０ｍｍ程度と浅く、より深い部分をピンポイント的に砕くことはできなかった。
【０００５】また従来の上記簡易型の装置では、圧縮空気の打込みによって砕かれる範囲が直径約４ｍと大きいため、必要以上に広範囲の土壌を砕いてしまうことがあり、ゴルフ場のグリーンのように、地表面の起伏や芝生の管理が入念に行われている場所には使用が難しく、種々改良すべき点があった。
【０００６】また水分や、液肥、殺菌剤及び駆虫剤等の薬液を土壌中に注入するためには、上記空気の打込み装置とは全く別の装置（例えば、土壌消毒機）を使用する必要があり、作業効率が悪かった。
【０００７】なお、本願出願人及び発明者は、本願考案に関連する公知特許文献及び公知非特許文献を知らないので、その記載を省略する。
【０００８】
【考案が解決しようとする課題】
本考案は、上記した従来技術の欠点を除くためになされたものであって、その目的とするところは、圧縮空気を導入可能に構成され該圧縮空気を送出し又は停止させる第１開閉弁が設けられた圧縮空気導入部と、任意の液体を導入可能に構成され液体を送出し又は停止させる第２開閉弁が設けられた液体導入部と、圧縮空気導入部及び液体導入部の下流側に接続され先端部に圧縮空気及び液体の噴出口が形成され土壌中に差し込むことができるように構成されたノズル管とを備え、前記第１開閉弁及び前記第２開閉弁を夫々独立して開閉可能に構成し、前記圧縮空気若しくは前記液体を夫々単独で又は前記圧縮空気及び前記液体を同時に前記噴射口から前記土壌中に噴出可能に構成することによって、ゴルフ場のグリーン等の芝生地や畑作地及び一般土壌又は公園の樹木等の根本の土壌中の固い部分をピンポイント的に砕いて、土壌の膨軟化を図り団粒構造を促進させて、土壌中に養分補給や殺菌剤、駆虫剤等の注入を１台の機械で行うことができるようにすることであり、またこれによって植物の活性化、土壌の殺菌及び病害虫の予防駆除を簡易にかつ効果的に行うことができるようにすると共に、装置の価格を従来品の約１／１０に低減させることである。
【０００９】また他の目的は、圧縮空気を導入可能に構成され該圧縮空気を所定量溜めておく空気溜まりが設けられた圧縮空気導入部と、任意の液体を導入可能に構成された液体導入部と、圧縮空気導入部及び液体導入部の下流側に接続され先端部に圧縮空気及び液体の噴出口が形成され土壌中に差し込むことができるように構成されたノズル管とを備え、空気溜まりからの高圧圧縮空気及び液体を夫々単独で又は同時に噴出口から土壌中に噴出可能に構成することによって、ゴルフ場のグリーン等の芝生地や畑作地及び一般土壌又は公園の樹木等の根本の土壌中の固い部分を、特に高圧かつ爆発的に噴射される圧縮空気によって、効率よくピンポイント的に砕いて十分な土壌の膨軟化及び団粒構造の促進を図ると共に、土壌中に養分補給や殺菌剤、駆虫剤等の注入を１台の機械で行うことができるようにすることであり、またこれによって植物の活性化、土壌の殺菌及び病害虫の予防駆除を簡易にかつ効果的に行うことができるようにすることである。
【００１０】また他の目的は、上記構成において、空気溜まりからの高圧圧縮空気を送出し又は停止させる第１開閉弁と圧縮空気が下流側にのみ流れるようにした第１逆止弁とを圧縮空気導入部に設け、任意の液体を送出し又は停止させる第２開閉弁と液体が下流側にのみ流れるようにした第２逆止弁とを液体導入部に設けることによって、圧縮空気のみをノズル管から噴出させるときには該圧縮空気が液体導入部に逆流せず、また液体のみをノズル管から噴出させるときにも該液体が圧縮空気導入部に逆流しないようにして、ノズル管から土壌中に圧縮空気や液体が勢いよく噴出するようにすることであり、またこれによって十分な土壌の膨軟化及び団粒化を効率的に行うことができるようにすることである。
【００１１】更に他の目的は、上記構成において、ノズル管を細く形成することによって、従来品よりも非常に深く、しかも人力でしかも軽い力で容易に土壌中に差し込むことができるようにすることであり、またこれによって地表面を乱すことなく土壌の深い部分をピンポイント的に砕いて十分に土壌の膨軟化を図ると共に、団粒構造を促進させて、土壌中に養分補給等ができるようにすることである。
【００１２】また他の目的は、上記構成において、圧縮空気導入部に空気溜まり内の圧力を表示する圧力計を設け、ノズル管の上方に設けられ片手で夫々操作可能な一対のハンドルと、該一対のハンドルに両手を掛けた状態で左右独立して操作可能に構成されリンクを介して第１開閉弁及び第２開閉弁を夫々開閉可能に構成されたレバー機構とを備えることによって、空気溜め内の圧力を圧力計で確認しながら確実に作業ができるようにすると共に、圧縮空気のみの噴出、液体のみの噴出又は圧縮空気及び液体の同時噴出を作業者が選択して行うことができるようにすることで装置の使用性を向上させることである。
【００１３】
【課題を解決するための手段】
要するに本考案（請求項１）は、圧縮空気を導入可能に構成され該圧縮空気を送出し又は停止させる第１開閉弁が設けられた圧縮空気導入部と、任意の液体を導入可能に構成され液体を送出し又は停止させる第２開閉弁が設けられた液体導入部と、前記圧縮空気導入部及び液体導入部の下流側に接続され先端部に前記圧縮空気及び前記液体の噴出口が形成され土壌中に差し込むことができるように構成されたノズル管とを備え、前記第１開閉弁及び前記第２開閉弁を夫々独立して開閉可能に構成し、前記圧縮空気若しくは前記液体を夫々単独で又は前記圧縮空気及び前記液体を同時に前記噴射口から前記土壌中に噴出可能に構成したことを特徴とするものである。
【００１４】また本考案（請求項２）は、圧縮空気を導入可能に構成され該圧縮空気を所定量溜めておく空気溜まりが設けられた圧縮空気導入部と、任意の液体を導入可能に構成された液体導入部と、前記圧縮空気導入部及び液体導入部の下流側に接続され先端部に前記圧縮空気及び前記液体の噴出口が形成され土壌中に差し込むことができるように構成されたノズル管とを備え、前記空気溜まりからの高圧圧縮空気及び前記液体を夫々単独で又は同時に前記噴出口から前記土壌中に噴出可能に構成したことを特徴とするものである。
【００１５】また本考案（請求項３）は、圧縮空気を導入可能に構成され該圧縮空気を所定量溜めておく空気溜まりと該空気溜まりからの高圧圧縮空気を送出し又は停止させる第１開閉弁と前記圧縮空気が下流側にのみ流れるようにした第１逆止弁とが設けられた圧縮空気導入部と、任意の液体を導入可能に構成され該液体を送出し又は停止させる第２開閉弁と前記液体が下流側にのみ流れるようにした第２逆止弁とが設けられた液体導入部と、前記圧縮空気導入部及び液体導入部の下流側に接続され先端部に前記圧縮空気及び前記液体の噴出口が形成され土壌中に人力で差し込むことができるように構成されたノズル管とを備えたことを特徴とするものである。
【００１６】また本考案（請求項４）は、圧縮空気を導入可能に構成され該圧縮空気を所定量溜めておく空気溜まりと該空気溜まり内の圧力を表示する圧力計と前記空気溜まりから前記圧縮空気を送出し又は停止させる第１開閉弁と前記圧縮空気が下流側にのみ流れるようにした第１逆止弁とが設けられた圧縮空気導入部と、任意の液体を導入可能に構成され該液体を送出し又は停止させる第２開閉弁と前記液体が下流側にのみ流れるようにした第２逆止弁とが設けられた液体導入部と、前記圧縮空気導入部及び液体導入部の下流側に接続され先端部に前記圧縮空気及び前記液体の噴出口が形成され土壌中に人力で差し込むことができるように構成されたノズル管と、該ノズル管の上方に設けられ片手で夫々操作可能な一対のハンドルと、該一対のハンドルに両手を掛けた状態で左右独立して操作可能に構成されリンクを介して前記第１開閉弁及び前記第２開閉弁を夫々開閉可能に構成されたレバー機構とを備えたことを特徴とするものである。
【００１７】
【考案の実施の形態】
以下本考案を図面に示す実施例に基いて説明する。本考案に係る土壌中への圧縮空気及び液体注入装置１は、図１から図８において、圧縮空気導入部２と、液体導入部３と、ノズル管４と、ハンドル５と、レバー機構６とを備えている。
【００１８】圧縮空気導入部２は、図１から図６、図９から図１１に示すように、圧縮空気８を導入可能に構成され、該圧縮空気８を所定量溜めておく空気溜まり９と、該空気溜まり９内の圧力を表示する圧力計１０と、空気溜まり９から圧縮空気８を送出し又は停止させる第１開閉弁１１と、圧縮空気８が下流側にのみ流れるようにした第１逆止弁（図示せず）とが設けられたものである。
【００１９】圧縮空気導入部２の口金１３には、図９に示すように、エアコンプレッサ１３に接続されたホース１５が着脱可能に構成されており、該口金１３はエルボ１６、チー１８、パイプ１９及びチー２０を通じて空気溜まり９と連通している。圧力計１０は、表示部が上に向くようチー１８に取り付けられ、上方から表示を確認できるようになっている。
【００２０】空気溜まり９は、縦長の円筒形容器であって、下端部がチー２０に接続されており、該下端部から圧縮空気８が出入りするようになっている。エアコンプレッサ１３からは、０．９８ＭＰａ以下の圧力の圧縮空気８が送られて来るため、その圧力に耐え得るように構成されている。なお、空気溜まり９を設けたのは、エアコンプレッサ１３の元圧（例えば０．９８ＭＰａ）が、静圧になったときにパスカルの原理によりそのまま蓄積されるようにして、噴出時には爆発的な圧縮空気がノズル管４から噴出されるようにしたものであり、該空気溜まり９を設けておかないと、エアコンプレッサ１３から送り出される圧縮空気８が、ホース１５を通る間に管摩擦によってその圧力が低下してしまうため、圧縮空気８をノズル管４から爆発的に噴出させることができず、硬く固まった土壌を砕くことができないからである。
【００２１】第１開閉弁１１は、チー２０の下側に接続されたパイプ２１に上流側が接続され、第１開閉弁１１の下流側にはパイプ２２、エルボ２３及びパイプ２４が順に接続され、該パイプ２４がノズル管４の上端に接続されたチー２５に接続されている。なお、図示の例では、第１逆止弁は第１開閉弁１１内に内蔵されている。
【００２２】液体導入部３は、図１、図２、図５、図６、図８及び図９に示すように、任意の液体の一例たる薬液２６を導入可能に構成され、該薬液２６を送出し又は停止させる第２開閉弁２８と、薬液２６が下流側にのみ流れるようにした第２逆止弁（図示せず）とが設けられたものである。なお、薬液２６としては、水分補給用の単なる水のほか、栄養剤、殺菌剤、駆虫剤等の水溶液が主に用いられるが、これらに限るものではない。
【００２３】液体導入部３の口金２９には、図９に示すように、薬液槽３０内の薬液２６をパイプ３１を通じて吸い込んで送出する薬液ポンプ３２に接続されたホース３３が着脱可能に構成されており、該口金２９はエルボ３４、パイプ３５を通じて第２開閉弁２８の上流側に接続されている。
【００２４】第２開閉弁２８の下流側には、パイプ３６、エルボ３８及びパイプ３９が順に接続され、該パイプ３９がノズル管４の上端に接続されたチー２５に接続されている。なお、図示の例では、第２逆止弁は第２開閉弁２８内に内蔵されている。
【００２５】ノズル管４は、図１から図３、図８及び図１２に示すように、圧縮空気導入部２及び液体導入部３の下流側に接続され、先端部４０に圧縮空気８及び薬液２６の噴出口４１が形成され、土壌４２中に人力で差し込むことができるように構成された、例えば外径１０ｍｍ以下、長さ４００ｍｍ程度のステンレス鋼製の管である。
【００２６】先端部４２は、先端に向かって次第に細く形成され、ノズル管４のパイプ部４３の下端にねじ込み固定されている。ノズル管４の上端は、チー２５に接続されている。
【００２７】ノズル管４には、差込み深さを予め設定することが可能なストッパ４４が取り付けられており、ねじ４５を弛めることでノズル管４の任意の位置に移動させ、再度ねじ４５を締め付けることでその位置に固定できるようになっている。
【００２８】ハンドル５は、図１から図４、図７に示すように、ノズル管４の上方に設けられ、片手で夫々操作可能な一対のものであって、ハンドルポスト４６の上端に、左右均等に水平に取り付けられ、その両端にグリップ４８を取り付けて構成されている。
【００２９】ハンドルポスト４６には、ステー４９，５０を介してカバー部材５１が取り付けられ、該カバー部材５１はレバー機構６の大部分と、圧縮空気導入部２と、液体導入部３とを前方から隠して保護するようになっている。
ている。
【００３０】レバー機構６は、一対のハンドル５に両手を掛けた状態で左右独立して操作可能に構成され、リンク５２Ａ，５３Ａ，５４Ａを介して第１開閉弁１１を開閉し、リンク５２Ｂ，５３Ｂ，５４Ｂを介して第２開閉弁２８を開閉可能に構成されたものである。
【００３１】左右のリンク５２Ａ，５２Ｂは、ブラケット５５に支持された軸５６に夫々揺動自在に取り付けられており、ブラケット５５はハンドルポスト４６に固定されている。リンク５２Ａ，５２Ｂには、図１１にも示すように、レバー５９Ａ，５９Ｂが夫々取り付けられており、手５８をハンドル５に掛けた状態で指５８ａを掛け、リンク５２Ａ，５２Ｂを上方向に揺動させることができるようになっている。
【００３２】リンク５２Ａとリンク５３Ａ、またリンク５２Ｂとリンク５３Ｂは、ロッドエンド６０を介して夫々連結されており、リンク５３Ａとリンク５４Ａ、リンク５３Ｂとリンク５４Ｂもロッドエンド６１を介して夫々連結されている。ロッドエンド６０，６１は、共にナット７０によりリンク５２Ａ，５２Ｂ，５４Ａ，５４Ｂに固定されている。
【００３３】リンク５４Ａはナット７１を用いて第１開閉弁１１に取り付けられ、リンク５４Ｂもナット７２を用いて第２開閉弁２８に取り付けられている。リンク５４Ａの揺動によって第１開閉弁１１が開閉し、リンク５４Ｂの揺動によって第２開閉弁２８が開閉するようになっている。
【００３４】ステー４９に固定されたピン４９ａとレバー５９Ａ，５９Ｂとの間には、図７に示すように、引張りばね６２が夫々取り付けられ、自然状態ではレバー５９Ａ，５９Ｂが引き下げられて、第１開閉弁１１及び第２開閉弁２８が共に閉じた状態となるように付勢されている。
【００３５】なお、図１、図２、図５及び図６に示すように、圧縮空気導入部２と液体導入部３とを補強し安定させるために、スタビライザ６３が使用されている。圧縮空気導入部２のパイプ２１はＵ字ボルト６４Ａ及びナット６５によってスタビライザ６３に固定され、また液体導入部３のパイプ３５はＵ字ボルト６４Ｂ及びナット６５によってスタビライザ６３に固定されている。
【００３６】本考案は、上記のように構成されており、以下その作用について説明する。図１０及び図１１において、土壌中への圧縮空気及び液体注入装置１は、ハンドル５を握れば、容易に持ち運ぶことができ、作業現場における取扱いが容易である。土壌中への圧縮空気及び液体注入装置１には、ホース１５によってエアコンプレッサ１４と圧縮空気導入部２とを接続し、ホース３３によって薬液ポンプ３２と液体導入部３とを接続しておく。エアコンプレッサ１４を作動させると、空気溜まり９内には、静圧時にパスカルの原理によりエアコンプレッサ１４の元圧、即ち最大の圧力の圧縮空気８が充填された状態となる。空気溜まり９内の圧力は、圧力計１０で確認することができる。
【００３７】ノズル管４は、外径が例えば１０ｍｍ以下と、従来品（例えば直径３０ｍｍ）よりもはるかに細いため、土壌４２中に矢印Ａ方向に深く、例えば４００ｍｍ位差し込むことが容易であり、このように深くても人力で差し込みを行うことができる。
【００３８】次に圧縮空気導入部２に関するレバー機構６の作用について説明すると、図１１において、ハンドル５に手５８を掛け、レバー５９Ａを指５８ａにより引き上げると、リンク５２Ａが引張りばね６２に抗して軸５６を中心として矢印Ｂ方向に揺動し、これに伴ってリンク５３Ａが上方向に引き上げられ、リンク５４Ａが矢印Ｃ方向に揺動することで、第１開閉弁１１が開き、空気溜まり９内の最も高圧の圧縮空気８が爆発的にノズル管４の噴出口４１から噴出する。
【００３９】液体導入部３に関するレバー機構６の作用も、概ね同様であるが、液体導入部３には、空気溜まり９に相当するものが存在しないため、レバー５９Ｂの操作により第２開閉弁２８が開いた場合には、薬液ポンプ３２によって送られて来る薬液２６がそのままノズル管４の噴出口４１から噴出する。
【００４０】次に土壌４２中に圧縮空気８のみを噴出させる（打ち込む）際の作用について説明する。図１２において、ノズル管４の差込み深さ（例えば４００ｍｍ）は、予めストッパ４４の固定位置の調整によって決めておく。ノズル管４を土壌４２中に差し込むと、ストッパ４４が土壌４２に当接したときに、例えば深さＤ＝４００ｍｍ程度の位置に噴出口４１が位置することになる。
【００４１】土壌４２中には、土の他に石ころ６６等が混じっている場合もあるが、いずれにしても微細な空洞（図示せず）が元々存在する。そこでレバー５９Ａを矢印Ｂ方向に引き上げて第１開閉弁１１を開くと、空気溜まり９内の圧縮空気８が矢印Ｅ方向に送り出されて、ノズル管４の噴出口４１から爆発的に矢印Ｒ方向に噴出する。
【００４２】この圧縮空気８の噴出（打ち込み）により、硬く固まっていた土壌４２が例えば幅Ｗ＝１ｍ程度の範囲でピンポイント的に砕かれ、土壌４２が膨軟化すると共に、その団粒構造が促進され、例えばその範囲内に広い空洞６８が蟻の巣状に形成される。ノズル管４の噴出口４１は、従来品よりも非常に深い位置（例えば深さＤ＝４００ｍｍ）まで差し込まれているので、地上の芝６９等に悪影響が及ぶことはない。
【００４３】レバー５９Ａから指５８ａを離せば、引張りばね６２のばね力によってレバー５９Ａが引き下げられ、第１開閉弁１１が閉じて、圧縮空気８の噴出が停止する。第１開閉弁１１が閉じた後も、エアコンプレッサ１４から空気溜まり９に圧縮空気８が供給され、空気溜まり９内は一定の高圧状態に維持されるので、繰返し圧縮空気８の打ち込みを行うことができる。
【００４４】次に土壌４２中に薬液２６のみを噴出させる際の作用について説明する。図１３において、ノズル管４を土壌４２中に差し込んだまま、レバー５９Ｂを矢印Ｂ方向に引き上げて第２開閉弁２８を開くと、薬液ポンプ３２から第２開閉弁２８のところまで送り出されていた薬液２６が、矢印Ｆ方向に進み、ノズル管４の噴出口４１から噴出する。薬液２６は、広く形成された空洞６８内に速やかに行き渡り、軟化している土壌４２に速やかに浸透する。
【００４５】薬液２６の注入によって、土壌４２へ養分や殺菌剤、駆虫剤等が注入され、植物の活性化、土壌４２の殺菌及び病害虫（図示せず）の予防駆除を簡易に行うことができ、圧縮空気８によって空洞６８を広げておくことで、効果的に薬液２６を行き渡らせることができる。
【００４６】そして土壌４２中に圧縮空気８及び薬液２６を同時に噴出させる際の作用について説明する。図１４において、ノズル管４を土壌４２中に差し込んで、レバー５９Ａ，５９Ｂを両手で同時に引き上げると、第１開閉弁１１及び第２開閉弁２８が共に開き、圧縮空気８が矢印Ｅ方向に、薬液２６が矢印Ｆ方向に送り出され、混合した状態でノズル管４を通って、噴出口４１から噴出する。噴出口４１から噴出した圧縮空気８は、例えば幅Ｗ＝１ｍの範囲で硬く固まった土壌４２を砕き、薬液２６は、その砕かれた土壌４２に行き渡る。
【００４７】このとき圧縮空気８と薬液２６との圧力差があっても、第１逆止弁及び第２逆止弁の作用により、圧縮空気８が液体導入部３に逆流したり、また薬液２６が圧縮空気導入部２に逆流することはない。なお、これは圧縮空気８のみ又は薬液２６のみを噴出させるときも同様である。
【００４８】このようにして、圧縮空気８及び薬液２６を同時に噴出させれば、作業が一度で済むので、非常に効率がよく、また１台の装置で行うことができるので取扱いや持運びが容易である。
【００４９】作業が終わったら、ノズル管４を土壌４２中から引き抜くが、ノズル管４の外径が１０ｍｍ以下と細いため、ノズル管４を抜いた後に土壌４２中に残る孔（図示せず）は極く小さく、例えば芝６９の補修作業はほとんど行う必要がない。
【００５０】なお、本考案にかかる土壌中への圧縮空気及び液体注入装置１は、芝生地に限らず、畑作地や一般の土壌中の殺菌、病害虫駆除並びに、植木、植物等の成育促進のために使用することができ、極めて有用である。
【００５１】
【考案の効果】
本考案は、上記のように圧縮空気を導入可能に構成され該圧縮空気を送出し又は停止させる第１開閉弁が設けられた圧縮空気導入部と、任意の液体を導入可能に構成され液体を送出し又は停止させる第２開閉弁が設けられた液体導入部と、圧縮空気導入部及び液体導入部の下流側に接続され先端部に圧縮空気及び液体の噴出口が形成され土壌中に差し込むことができるように構成されたノズル管とを備え、前記第１開閉弁及び前記第２開閉弁を夫々独立して開閉可能に構成し、前記圧縮空気若しくは前記液体を夫々単独で又は前記圧縮空気及び前記液体を同時に前記噴射口から前記土壌中に噴出可能に構成したので、ゴルフ場のグリーン等の芝生地や畑作地及び一般土壌又は公園の樹木等の根本の土壌中の固い部分をピンポイント的に砕いて土壌の膨軟化を図ることができると共に、団粒構造を促進させることができ、土壌中の該空洞に養分補給や殺菌剤、駆虫剤等の注入を１台の機械で行うことができるという効果があり、またこの結果植物の活性化、土壌の殺菌及び病害虫の予防駆除を簡易にかつ効果的に行うことができると共に、装置の価格を従来品の約１／１０に低減できる効果が得られる。
【００５２】また圧縮空気を導入可能に構成され該圧縮空気を所定量溜めておく空気溜まりが設けられた圧縮空気導入部と、任意の液体を導入可能に構成された液体導入部と、圧縮空気導入部及び液体導入部の下流側に接続され先端部に圧縮空気及び液体の噴出口が形成され土壌中に差し込むことができるように構成されたノズル管とを備え、空気溜まりからの高圧圧縮空気及び液体を夫々単独で又は同時に噴出口から土壌中に噴出可能に構成したので、ゴルフ場のグリーン等の芝生地や畑作地及び一般土壌又は公園の樹木等の根本の土壌中の固い部分を、特に高圧かつ爆発的に噴射される圧縮空気によって、効率よくピンポイント的に砕いて十分な土壌の膨軟化及び団粒構造の促進を図ることができる効果があると共に、土壌中に養分補給や殺菌剤、駆虫剤等の注入を１台の機械で行うことができ、またこの結果植物の活性化、土壌の殺菌及び病害虫の予防駆除を簡易にかつ効果的に行うことができるという効果がある。
【００５３】また上記構成において、空気溜まりからの高圧圧縮空気を送出し又は停止させる第１開閉弁と圧縮空気が下流側にのみ流れるようにした第１逆止弁とを圧縮空気導入部に設け、任意の液体を送出し又は停止させる第２開閉弁と液体が下流側にのみ流れるようにした第２逆止弁とを液体導入部に設けたので、圧縮空気のみをノズル管から噴出させるときには該圧縮空気が液体導入部に逆流せず、また液体のみをノズル管から噴出させるときにも該液体が圧縮空気導入部に逆流しないこととなり、ノズル管から土壌中に圧縮空気や液体が勢いよく噴出するという効果があり、またこの結果十分な土壌の膨軟化及び団粒化を効率的に行うことができるという効果が得られる。
【００５４】更には、上記構成において、ノズル管を細く形成したので、従来品よりも非常に深く、しかも人力でしかも軽い力で容易に土壌中に差し込むことができるという効果があり、またこの結果地表面を乱すことなく土壌の深い部分をピンポイント的に砕いて十分に土壌の膨軟化及び団粒構造を促進させることができ、養分補給等ができるという効果がある。
【００５５】また上記構成において、圧縮空気導入部に空気溜まり内の圧力を表示する圧力計を設け、ノズル管の上方に設けられ片手で夫々操作可能な一対のハンドルと、該一対のハンドルに両手を掛けた状態で左右独立して操作可能に構成されリンクを介して第１開閉弁及び第２開閉弁を夫々開閉可能に構成されたレバー機構とを備えたので、空気溜め内の圧力を圧力計で確認しながら確実に作業ができる効果があると共に、圧縮空気のみの噴出、液体のみの噴出又は圧縮空気及び液体の同時噴出を作業者が選択して行うことができるため装置の使用性を向上させることができる効果がある。
【図面の簡単な説明】
【図１】土壌中への圧縮空気及び液体注入装置の斜視図である。
【図２】土壌中への圧縮空気及び液体注入装置の正面図である。
【図３】土壌中への圧縮空気及び液体注入装置の側面図である。
【図４】土壌中への圧縮空気及び液体注入装置の平面図である。
【図５】土壌中への圧縮空気及び液体注入装置の横断面図である。
【図６】圧縮空気導入部と液体導入部の部分破断斜視図である。
【図７】ハンドル及びレバー機構の上部を示す部分破断斜視図である。
【図８】土壌中への圧縮空気及び液体注入装置において、ノズル管の構造を示す部分縦断面正面図である。
【図９】土壌中への圧縮空気及び液体注入装置と、エアコンプレッサ及び薬液槽との接続状態を示す斜視図である。
【図１０】エアコンプレッサ及び薬液槽と接続された土壌中への圧縮空気及び液体注入装置において、ノズル管を土壌中に差し込もうとする状態を示す正面図である。
【図１１】手でハンドルに掛け、指で左右のレバーを引き上げて第１開閉弁及び第２開閉弁を開くことにより、ノズル管の噴出口から圧縮空気及び薬液が噴出している状態を示す側面図である。
【図１２】土壌中への圧縮空気及び液体注入装置、エアコンプレッサ及び薬液槽において、左側レバーを引き上げると第１開閉弁が開き、空気溜まり内の圧縮空気及びエアコンプレッサから供給される圧縮空気がノズル管から土壌中に爆発的に噴出し、土壌が砕かれて膨軟化すると共に団粒化が促進され、土壌中に空洞が形成されることを示す正面図及び土壌の縦断面図である。
【図１３】土壌中への圧縮空気及び液体注入装置、エアコンプレッサ及び薬液槽において、右側レバーを引き上げることにより、第２開閉弁が開いて薬液槽から供給される薬液がノズル管から土壌中に噴出し、圧縮空気の噴出によって形成された空洞内に広がって行くことを示す正面図及び土壌の縦断面図である。
【図１４】土壌中への圧縮空気及び液体注入装置、エアコンプレッサ及び薬液槽において、左右のレバーを同時に引き上げることにより、第１開閉弁及び第２開閉弁が開いて圧縮空気及び薬液が混合した状態でノズル管から土壌中に噴出し、圧縮空気によって土壌が膨軟化及び団粒化して空洞が形成されると共に、薬液が該空洞に広がって行くことを示す正面図及び土壌の縦断面図である。
【符号の説明】
１　　土壌中への圧縮空気及び液体注入装置
２　　圧縮空気導入部
３　　液体導入部
４　　ノズル管
５　　ハンドル
６　　レバー機構
８　　圧縮空気
９　　空気溜まり
１０　　圧力計
１１　　第１開閉弁
２６　　液体の一例たる薬液
２８　　第２開閉弁
４０　　先端部
４１　　噴出口
４２　　土壌
【図１】
0003097225.tif 000003
【図２】
0003097225.tif 000004
【図３】
0003097225.tif 000005
【図４】
0003097225.tif 000006
【図５】
0003097225.tif 000007
【図６】
0003097225.tif 000008
【図７】
0003097225.tif 000009
【図８】
0003097225.tif 000010
【図９】
0003097225.tif 000011
【図１０】
0003097225.tif 000012
【図１１】
0003097225.tif 000013
【図１２】
0003097225.tif 000014
【図１３】
0003097225.tif 000015
【図１４】
0003097225.tif 000016